(57)【要約】【課題】光源から出射されコードにおいて反射された光が受光素子によって受光されてしまう事態を抑制することによって、明暗のコントラストが低下するのを抑制する。【解決手段】透光性を有する基板５０の表面５１上に形成されたコード５３を読み取るハンディ型コード読取装置１であって、青色発光部２５から出射された光が前記コード５３に照射されるのを抑制する照射抑制手段と、前記青色発光部２５から出射されて前記表面の前記コード５３外の領域から前記基板５０内へと入射し前記基板５０内から前記コード５３を通過して前記基板５０外へと出力される光を受光する受光部３０とを備えていることを特徴とするハンディ型コード読取装置。【選択図】図４
2011108071.tif 000002
【特許請求の範囲】
【請求項１】
透光性を有する基板の表面上に形成されたコードを読み取るハンディ型コード読取装置であって、
光源から出射された光が前記コードに照射されるのを抑制する照射抑制手段と、
前記光源から出射されて前記表面の前記コード外の領域から前記基板内へと入射し前記基板内から前記コードを通過して前記基板外へと出力される光を受光する受光素子とを備えていることを特徴とするハンディ型コード読取装置。
【請求項２】
前記照射抑制手段が、前記光源と前記コードとを結ぶ直線上に配置された遮光部材であることを特徴とする請求項１に記載のハンディ型コード読取装置。
【請求項３】
前記光源が取り付けられていると共に前記光源から前記照射抑制手段に向かう方向に上昇するように傾斜した傾斜面を有する支持部材を備えていることを特徴とする請求項１又は２に記載のハンディ型コード読取装置。
【請求項４】
前記光源を保持するパッケージをさらに備えており、
前記光源が発光ダイオードであって、
前記直接照射抑制手段が、前記パッケージの遮光部分であることを特徴とする請求項１又は２に記載のハンディ型コード読取装置。
【発明の詳細な説明】
【技術分野】
【０００１】
本発明は、透過性を有する基板上に形成されたコードを読み取るハンディ型コード読取装置に関する。
【０００２】
特許文献１には、透過性を有する基板上に形成されたコードを読み取る技術が開示されている。具体的には、投光部からバーコード部の表面に光を当て、バーコード部を透過した光、即ち、バーコード部の透光部分を透過した光を反射板によって反射させ、その反射光を受光部が受光することによって、コードを読み取る。
【先行技術文献】
【特許文献】
【０００３】
【特許文献１】特開平１０−２４０８５８号公報
【発明の概要】
【発明が解決しようとする課題】
【０００４】
上述の技術では、バーコード部を透過した光を用いて、バーコード部の遮光部分の大きさや位置を識別することによって、コードを読み取ることを目的としている。しかしながら、上述のような技術によると、受光部は、バーコード部を透過した光のみを受光することが望ましいにも関わらず、光源から出射されバーコード部における遮光部分にて反射された光も受光してしまい、明暗のコントラストが低下してしまうという問題があった。その結果、コードが正確に読み取れないという問題があった。また、従来のダイナミック式（立方体方式）のリーダーは、例えば液晶パネルの裏面から照明し、コードの金属蒸着の無い部位からの透過光によって画像を取得する方式を採用している。このような方式とは異なり、ハンディ型方式により課題解決するものである。（従来のダイナミック式では、基板のサイズに制限があり、大型の液晶パネルには不向きである。）
【０００５】
本発明の主な目的は、光源から出射されコードにおいて反射された光が受光素子によって受光されてしまう事態を抑制することによって、明暗のコントラストが低下するのを抑制することができるハンディ型コード読取装置を提供することである。
【課題を解決するための手段】
【０００６】
本発明のハンディ型コード読取装置は、透光性を有する基板の表面上に形成されたコードを読み取るハンディ型コード読取装置であって、光源から出射された光が前記コードに照射されるのを抑制する照射抑制手段と、前記光源から出射されて前記表面の前記コード外の領域から前記基板内へと入射し前記基板内から前記コードを通過して前記基板外へと出力される光を受光する受光素子とを備えている。
【０００７】
上記の構成によると、照射抑制手段によって、光源から出射された光がコードに照射されるのを抑制することができる。よって、光源から出射されて表面のコード外の領域から基板内へと入射し基板内からコードを通過して基板外へと出力される光だけでなく、光源から出射されコードにおいて反射された光が受光素子によって受光されてしまう事態を抑制することができる。従って、明暗のコントラストが低下するのを抑制し、コードを正確に読み取ることができる。
【０００８】
前記照射抑制手段が、前記光源と前記コードとを結ぶ直線上に配置された遮光部材であることが好ましい。
【０００９】
上記の構成によると、照射抑制手段によって、光源から出射された光が基板外からコードに照射されるのを遮断することができる。よって、光源から出射されコードにおいて反射された光が受光素子によって受光されてしまう事態を防止することができる。従って、明暗のコントラストが低下するのを防止し、コードをより正確に読み取ることができる。
【００１０】
また、本発明のハンディ型コード読取装置は、前記光源が取り付けられていると共に前記光源から前記照射抑制手段に向かう方向に上昇するように傾斜した傾斜面を有する支持部材を備えていてもよい。この構成によると、光源から照射抑制手段に向かう方向に上昇するように傾斜した傾斜面に光源が取り付けられていることによって、例えば、コードを読み取る際、表面において基板内へと積極的に光を入射させることができる。よって、基板内からコードの透光部分を通過して基板外へと出力される光量をより多くすることができる。従って、コードをより正確に読み取ることができる。
【００１１】
また、本発明のコード読取装置は、前記光源を保持するパッケージをさらに備えており、前記光源が発光ダイオードであって、前記照射抑制手段が、前記パッケージの遮光部分であってもよい。
【００１２】
上記の構成によると、パッケージによって、発光ダイオードから出射された光が基板外からコードに照射されるのを遮断することができる。よって、発光ダイオードから出射されコードにおいて反射された光が受光素子によって受光されてしまう事態を防止することができる。従って、明暗のコントラストが低下するのを防止し、コードを正確に読み取ることができる。
【発明の効果】
【００１３】
本発明のハンディ型コード読取装置によると、照射抑制手段によって、光源から出射された光がコードに照射されるのを抑制することができる。よって、光源から出射されて表面のコード外の領域から基板内へと入射し基板内からコードを通過して基板外へと出力される光だけでなく、光源から出射されコードにおいて反射された光が受光素子によって受光されてしまう事態を抑制することができる。従って、明暗のコントラストが低下するのを抑制し、コードを正確に読み取ることができる。
【図面の簡単な説明】
【００１４】
【図１】本発明の第１の実施形態に係るハンディ型コード読取装置の全体斜視図である。
【図２】図１に示すハンディ型コード読取装置の高さ方向に沿った断面図である。
【図３】図１に示すハンディ型コード読取装置の基部の詳細図である。
【図４】図１に示すハンディ型コード読取装置によってコードを読み取る際の様子を示した図である。
【図５】本発明の第２の実施形態に係るハンディ型コード読取装置によってコードを読み取る際の様子を示した図である。
【図６】本発明の第３の実施形態に係るハンディ型コード読取装置によってコードを読み取る際の様子を示した図である。
【図７】本発明の第２の実施形態に係る設計変更を施したハンディ型コード読取装置によってコードを読み取る際の様子を示した図である。
【発明を実施するための形態】
【００１５】
本発明の第１の実施形態に係るハンディ型のコード読取装置１は、図１に示すように、その高さ方向に関して僅かに傾いた縦長の形状を有しており、約１００ｇの重さを有する軽量な装置である。コード読取装置１は、基板上のコード（以下、対象コードと称することがある）に対して位置合わせをし、対象コードを読み取ることができる。コード読取装置１を対象コードに対して位置合わせするとは、後述するように、コード読取装置１の高さ方向から見て、貫通口２１内に対象コードが収まるようにコード読取装置１を配置することを言う。
【００１６】
コード読取装置１は、その最下部に位置する基部２０、基部２０に接続された筒状のケーシング部４、及び、例えば図示しないコンピュータとケーシング部４内の受光部３０とを電気的に接続する電気コード５を備えている。ケーシング部４は、コード読取装置１の全体とほぼ同じ高さを有しており、その下部において、幅方向に貫通した開口部２が設けられている。そして、開口部２によって、ケーシング部４の下方に位置する基部２０の貫通口２１が可視となり、これにより、対象コードを貫通口２１内に位置合わせすることができる。
【００１７】
図２に示すように、ケーシング部４の内部には、ケーシング部４の高さ方向に関してほぼ中央に位置する受光部３０、及び、基部２０と受光部３０との間に位置する赤色発光部７が設けられている。受光部３０は、受光レンズ３２及び受光素子３１を備えており、コード読み取りの際、受光レンズ３２が、貫通口２１を通過してケーシング部４内に入射した光を受光素子３１に集光し、受光素子３１が、受光した光を電荷に変換する。そして、この読み取られた電気的情報が電気コード５を介して外部のコンピュータなどに送り出され、コンピュータにおいて対象コードが識別される。また、コンピュータは、異なる色の光それぞれに対して処理を行うことができる。
【００１８】
赤色発光部７は、開口部２の近傍において、コード読取装置１の高さ方向から見て受光レンズ３２と重複しない位置に設けられている。赤色発光部７は、基部２０の貫通口２１に面するように設けられており、遮光性を有する保持部材７ｂにおける貫通口２１と対向する部分に形成された溝に砲弾型のＬＥＤ７ａが設置されている。即ち、赤色発光部７は、砲弾型のＬＥＤ７ａを有している。コード読み取りの際、保持部材７ｂの溝に設置された砲弾型ＬＥＤ７ａは、保持部材７ｂの溝、即ち、貫通口２１と対向する部分から赤色の光を出射する。その光は、貫通口２１内を通過して対象コードに照射され、対象コードの遮光部分において反射した光が、再び貫通口２１を通過してケーシング部４内に入射する。そして、この光を受光部３０の受光素子３１が受光することによって、対象コードの情報を読み取ることができる。即ち、赤色ＬＥＤ７ａは、明視野照明であり、前記明視野照明により得た画像は対象コードの遮光部分が反射光により明るく見え、対象コードの透過部分は反射しないため暗く見える。従って、金属等に直接刻印したコ−ドや、バックライトが搭載された液晶基板に形成されたコードを読み取る場合などに好適である。
【００１９】
図２及び３を参照すると、基部２０は、後述の基準面Ａ、即ち、コード読取装置１の高さ方向に直交する平面に平行な支持板２４と、支持板２４の外縁に沿って設けられた外枠２３と、支持板２４に取り付けられた８つの青色発光部２５及び遮光部材２６とを有する。
【００２０】
外枠２３は、支持板２４に対するケーシング部４が配置された側と逆側において、支持板２４の外縁に沿って設けられた枠である。外枠２３は、支持板２４の厚み方向に関して支持板２４から離れる方向に突出しており、その端部がコード読取装置１の最下部となっている。よって、コード読取装置１を対象コードに対して位置合わせする際、外枠２３の端部を基板と当接させることによって、コード読取装置１を基板に対して固定することができる。このとき、外枠２３の端部は、後述の遮光部材２６の端部と共に、基板の表面と平行な基準面Ａを構成する。
【００２１】
支持板２４は、基準面Ａに直交する方向に関して、基準面Ａと受光素子３１との間に設けられており、その厚み方向に貫通した開口である貫通口２１を有する。貫通口２１は、基準面Ａと直交する方向から見て、四角形形状を有していると共に受光素子３１と対向する位置に設けられており、基板において対象コードが形成された範囲よりも大きく且つこれとほぼ同じ大きさを有している。このような構造によって、開口部２及び貫通口２１を通して対象コードが直視できるため、コードに対してコード読取装置１を容易に位置合わせすることができる。
【００２２】
遮光部材２６は、支持板２４に対するケーシング部４が配置された側と逆側において、貫通口２１を取り囲むように設けられている。遮光部材２６は、支持板２４の厚み方向に関して支持板２４から離れる方向に、外枠２３と同じ位置まで突出している。即ち、支持板２４の厚み方向に関する遮光部材２６の端部も、コード読取装置１の最下部となっている。よって、外枠２３の端部と対象コードが形成された基板とが当接する際には、遮光部材２６の端部も基板と当接する。従って、外枠２３の端部及び遮光部材２６の端部によって、基準面Ａが構成される。また、コード読取装置１を対象コードに対して位置合わせしたとき、遮光部材２６は、８つの青色発光部２５それぞれと対象コードとを結ぶ直線上に位置する。
【００２３】
８つの青色発光部２５は、支持板２４に対するケーシング部４が配置された側と逆側において、遮光部材２６を取り囲むように設けられている。８つの青色発光部２５は、各２つの青色発光部２５が貫通口２１の四角形の各辺に沿って配置されている。
【００２４】
青色発光部２５はそれぞれ、支持板２４に取り付けられた遮光性を有するパッケージ２５ｂ、及び、パッケージ２５ｂの溝に埋め込まれたＬＥＤチップ２５ｃと封入樹脂からなる青色発光ダイオード２５ａから構成される。コード読み取りの際、即ち、コード読取装置１をコードに対して位置合わせしたとき、溝に埋め込まれた青色ＬＥＤ２５ａは、パッケージ２５ｂに当接しない部分、即ち、基準面Ａと対向する部分から基準面Ａに向かって円錐状に青色の光を出射する。
【００２５】
後述するように、コード読み取りの際、青色ＬＥＤ２５ａから出射され基板内へ入射した後、対象コードの透光部分を通過し再び貫通口２１を通過してケーシング部４内に入射した光を、受光部３０の受光素子３１が受光することによって、対象コードの情報を読み取ることができる。即ち、青色ＬＥＤ２５ａは、対象コードの透光部分が前記通過した光により明るく見え、対象コードの遮光部分は光が通過しないため暗く見える。
【００２６】
次に図４を参照し、透光性を有する基板５０の表面５１上に形成されたコード５３を読み取る際の様子を詳細に説明する。ここでは、青色発光部２５から出射された光のみを用いてコードを読み取るものとし、例えば基板５０は、大型の液晶パネル用の硝子基板であり、コード５３には、遮光部分５３ａと透光部分５３ｂとが含まれている。遮光部分５３ａと透光部分５３ｂは、例えば前記基板５０上の金属蒸着膜にレーザー焼きつけにより印字して形成させたものである。
【００２７】
図4は、読み取るコード５３を有する基板５０が緩衝材６０の上に配置されている状態を示している。このとき、コード５３が緩衝材６０と当接せず、基板５０の表面５１と対向する底面５５と緩衝材６０とが当接するものとする。緩衝材６０は、透光性を有するもの、または、緩衝材６０内において光を拡散させることができるものであって、例えば、緩衝材としては、高発泡ポリエチレンシート、発泡ポリエチレン、発泡ポリスチレン、発泡ポリプロピレン、気泡性緩衝材などが好適である。また不織布、アクリルやポリカーボネート等の透明板なども同様に好適である。アクリルやポリカーボネート等の透明板である場合は、拡散効果のある加工をするとより効果的である。
【００２８】
次に、コード読取装置１を基板５０上のコード５３に対して位置合わせする。具体的には、基準面Ａと直交する方向から見てコード読取装置１の貫通口２１内にコード５３が収まるように、開口部２を見ながらコード読取装置１を基板５０上に配置する。このとき、コード読取装置１の外枠２３の端部及び遮光部材２６の端部を表面５１に当接させる。よって、外枠２３の端部及び遮光部材２６の端部が構成する基準面Ａが表面５１と平行になっている。
【００２９】
そして、図示しない電源によって青色発光部２５の青色ＬＥＤ２５ａを発光させると、青色ＬＥＤ２５ａから基準面Ａに向かって円錐状に青色の光が出射される。このとき、基準面Ａと直交する方向から見て、コード５３は、貫通口２１内に収まっており、即ち、遮光部材２６に囲まれた範囲内に位置している。即ち、遮光部材２６は、各青色ＬＥＤ２５ａとコード５３を結ぶ直線上に配置されているため、青色ＬＥＤ２５ａからコード５３へと向かう光を遮断する。これにより、青色ＬＥＤ２５ａから出射された光が基板５０外からコード５３に照射されることがない。また、青色ＬＥＤ２５ａから出射された光の一部が、表面５１における遮光部材２６に囲まれていない範囲から基板５０内へと入射する。
【００３０】
基板５０内へ入射した光の一部は、基板５０内において、底面５５及び表面５１などに反射されつつコード５３に対向する位置まで到達し、コード５３の透光部分５３ｂを通過して基板５０外へと出射する。また、基板５０内へ入射した光の一部は、底面５５を通過して緩衝材６０の表面または緩衝材６０内へと入射し、緩衝材６０の表面で反射または緩衝材６０内において拡散され、再び底面５５から基板５０内へと入射する。そして、基板５０内へ入射した光が、コード５３の透光部分５３ｂを通過して基板５０外へと出射する。このようにしてコード５３の透光部分５３ｂを通過して基板５０外へと出射した光が、受光部３０の受光素子３１によって受光される。そして、この読み取られた電気的情報が電気コード５によって接続されたコンピュータに送られ、コードの識別が行われる。
【００３１】
上述した読み取るコード５３を有する基板５０の背景として緩衝材６０などの好適なものを提示したが、読取作業上最も効率の良い、運搬されてきた基板の緩衝材６０を反射板又は拡散板として用いたが、緩衝目的(衝撃吸収・保護)のものに限らない。つまり、背景色が黒などの反射率が低いものや、発光部(光源)の色に対して背景色が補色となるもの、又は鏡面など正反射のみのものを除いて、光を透過または拡散する素材及び、光を拡散又は乱反射させる素材であれば何であってもよい。
【００３２】
以上説明した実施形態によると、遮光部材２６によって、青色ＬＥＤ２５ａから出射された光が基板外からコードに照射されるのを遮断することができる。よって、青色ＬＥＤ２５ａから出射されて表面のコード外の領域から基板内へと入射し基板内からコードの透光部分を通過して基板外へと出力される光だけでなく、青色ＬＥＤ２５ａから出射されコード５３において反射された光が受光素子３１によって受光されてしまう事態を防止することができる。従って、明暗のコントラストが低下するのを防止し、コードを正確に読み取ることができる。
【００３３】
また、コードを読み取る際に遮光部材２６の端部が基板に当接するため、遮光部材２６によって、青色ＬＥＤ２５ａから出射された光が基板外からコードに照射されるのを確実に遮断することができる。よって、青色ＬＥＤ２５ａから出射されコードにおいて反射された光が受光素子３１によって受光されてしまう事態を確実に防止することができる。従って、明暗のコントラストが低下するのをより確実に防止し、コードをより正確に読み取ることができる。
【００３４】
上述した遮光部材２６の端部は青色ＬＥＤ２５ａから出射された光が基板５０外からコード５３に照射されることを防止可能であればよく、基板５０に当接していなくてもよい。もちろん、使用上問題がなければ、遮光部材２６の端部が基板に当接してもよいことは言うまでもない。
【００３５】
また、支持板２４の貫通口２１とコードとを位置合わせすることによって、コード読取装置１をコードに対して容易に位置合わせすることができる。
【００３６】
また、遮光部材２６が貫通口２１を取り囲むように設けられていることによって、支持板２４の貫通口２１とコードとを位置合わせした際、複数の青色ＬＥＤ２５ａから出射されコードにおいて反射された光が受光素子３１によって受光されてしまう事態を確実に防止することができる。
【００３７】
次に、図５を参照し、上述の実施形態に変更を加えた第２の実施形態について説明する。但し、上述の実施形態と同様の構成を有するものについては、同じ符号を付して適宜その説明を省略する。
【００３８】
第２の実施形態に係るハンディ型コード読取装置１０１は、支持板２４の代わりに４つの支持板１２４を備えている。４つの支持板１２４はそれぞれ、四角形の表面を有する板部材である。４つの支持板１２４は、基準面Ａに直交する方向に関して、基準面Ａと受光素子３１との間に設けられており、基準面Ａに直交する方向から見て十字を形成するように配置されている。即ち、４つの支持板１２４に取り囲まれるように空洞１２１が形成されている。空洞１２１は、貫通口２１より僅かに大きいサイズを有している。なお、空洞１２１は、貫通口２１と同様の役割を果たす。
【００３９】
また、４つの支持板１２４はそれぞれ、ケーシング部４が配置された側と逆側において、空洞１２１に近づく方向に上昇するように傾斜した傾斜面１２４ａを有している。各傾斜面１２４ａには、２つの青色発光部２５が取り付けられており、即ち、４つの支持板１２４は８つの青色発光部２５を有する。より詳細には、各２つの青色発光部２５は、各支持板１２４の一辺に沿って各傾斜面１２４ａに取り付けられている。即ち、互いに対向する２つの支持板１２４に設けられた４つの青色発光部２５は、基準面Ａと直交する方向から見て受光素子３１を間に挟む位置に配置されている。なお、４つの支持板１２４は配線等により電気的に接続されており、上述した第一の実施形態と同様に８つの青色発光部２５に電源が供給される。
【００４０】
また本実施形態では、遮光部材２６は、４つの支持板１２４ではなく、図示しない支持部材によってケーシング部４に対して固定されている。遮光部材２６は、基準面Ａに直交する方向から見て、受光素子３１に対向する範囲を取り囲むように、空洞１２１に沿って設けられている。よって、遮光部材２６は、第１の実施形態と同様、コード読取装置１０１を対象コードに対して位置合わせしたとき、８つの青色発光部２５それぞれと対象コードとを結ぶ直線上に位置する。
【００４１】
このように、各傾斜面１２４ａは、当該傾斜面１２４ａに取り付けられた２つの青色発光部２５から遮光部材２６に向かう方向に上昇するように傾斜していることが分かる。換言すると、各傾斜面１２４ａは、当該傾斜面１２４ａに取り付けられた２つの青色発光部２５から受光素子３１に向かう方向に傾斜している。
【００４２】
このようなコード読取装置１０１によってコードを読み取るとき、青色ＬＥＤ２５ａから出射された光は、表面５１における遮光部材２６に囲まれていない範囲において、第１の実施形態に比べ、基板５０内へと積極的に光を入射させることができる。この場合、青色発光部２５は円錐状に青色の光を入射するが、入射される円錐状の光は中心が最も光の強度が高い。前記光の最も強い中心が基板５０内へ入射されるように青色発光部２５の傾斜角度が設定される。よって、基板５０内に入射した光が、基板５０内におけるコード５３に対向する部分により到達しやすくなる。
【００４３】
以上説明した実施形態によると、各傾斜面１２４ａが、当該傾斜面１２４ａに取り付けられた２つの青色発光部２５から受光素子３１に向かう方向に傾斜しているため、コード読取装置１０１をコードに対して位置合わせした際、表面において基板５０内へと積極的に光を入射させることができる。よって、基板内からコードの透光部分を通過して基板外へと出力される光量をより多くすることができる。また、上述した第１の実施形態の青色発光部２５から円錐状に出射する光における、基準面Ａと直交する方向から見て、遮光部材２６とは異なる方向(コード読取装置１の外枠２３側)へ出射する光を積極的に用いることができる。従って、コードをより正確に読み取ることができる。
【００４４】
次に、図６を参照し、第１の実施形態に変更を加えた第３の実施形態について説明する。但し、上述の実施形態と同様の構成を有するものについては、同じ符号を付して適宜その説明を省略する。
【００４５】
第３の実施形態に係るハンディ型コード読取装置２０１は、第１の実施形態における遮光部材２６を備えていない。よって、外枠２３の端部のみが基準面Ａを構成する。その代わりに、コード読取装置２０１は、基準面Ａに直交する方向に関して、支持板２４よりも基準面Ａに近い位置に設けられた支持板２２４を有する。支持板２２４は、支持板２４と同様に、貫通口２１を有していると共に、８つの青色発光部２５が取り付けられている。上述したように、ＬＥＤチップ２５ｃと封入樹脂からなる青色ＬＥＤ２５ａは、パッケージ２５ｂの溝に埋め込まれている。
【００４６】
そして、支持板２２４が基準面Ａに近い位置に設けられていることによって、支持板２２４に取り付けられた８つの青色発光部２５は、基準面Ａから僅かに離隔した位置に配置される。これにより、コードを読み取る際、即ち、貫通口２１と対象コードとを位置合わせしたとき、青色発光部２５の青色ＬＥＤ２５ａからの光が、基板外から対象コードに照射されることがない。また、開口２１に近接させて(コードの側部により近接させて)設けることができるため、基板内からコードの透光部分を通過して基板外へと出力される光量をより多くすることができる。即ち、本実施形態においては、パッケージ２５ｂが、青色ＬＥＤ２５ａから出射された光が基板外からコードに照射されるのを遮断する遮光部材であると言える。
【００４７】
以上説明した実施形態によると、パッケージ２５ｂによって、青色ＬＥＤ２５ａから出射された光がコードに照射されるのを遮断することができる。よって、青色ＬＥＤ２５ａから出射されコードにおいて反射された光が受光素子３１によって受光されてしまう事態を防止することができる。従って、明暗のコントラストが低下するのを防止し、コードを正確に読み取ることができる。
【００４８】
以上、本発明の好適な実施形態について説明したが、本発明は上述の実施の形態に限られるものではなく、特許請求の範囲に記載した限りにおいて様々な設計変更を上述の実施形態に施すことが可能である。
【００４９】
上述した実施形態では、読取対象として、透光性を有する基板５０の表面上に形成され遮光部分と透過部分を含むコード５３について述べたが、例えば、基板５０上の金属蒸着膜にレーザー焼きつけにより印字して遮光部分と透過部分を形成させた物に限らず、硝子などの光透過性のある基板に直接印刷や刻印されたシンボル( DPM: Direct Parts Marking )などを含む。また基板に限らず、医療業界などで用いる硝子や樹脂などの光透過性のある物体で成形されたアンプル・容器に印刷されたコード、又は、バーコードが印刷された透明シールが添付されたコード（及び、コードが光透過性のある物体に置かれている場合も含む）なども含む。
【００５０】
また、前記赤色発光部７と後述する青色発光部２５の2つのタイプの光源は、照射対象(コード及び基板)に対して共に照射して、受光素子３１に集光しコンピュータにおいて対象コードを識別してもよい。このとき、コンピュータは２色で照らされた画像を取得してそれぞれの色成分の画像を抽出することができる。したがって、青色発光部２５から出射された光及び赤色発光部7から出射された光の両方で適宜所望の画像が得られるコードの場合に好適であり、両方の識別により精度を高めることができる。また、画像のよいほうを選択して識別するようにしてもよい。
【００５１】
第２の実施形態では、青色ＬＥＤ２５ａから出射される光を、基板の表面におけるコードが形成された領域により近い部分から基板へと入射させるために、青色ＬＥＤ２５ａを傾斜面１２４ａに取り付けているが、他の方法を用いてもよい。例えば、図７に示すように、青色ＬＥＤ２５ａが、基準面Ａにおける空洞１２１に対向する部分に面するように、青色ＬＥＤ２５ａを保持するパッケージの形状を変更してもよい。
【００５２】
第３の実施形態では、８つの青色発光部２５が基準面Ａから僅かに離隔した位置に配置されているが、青色発光部２５が基準面Ａから離隔していなくてもよい。即ち、支持板２２４をより基準面Ａに近い位置に配置し、外枠２３の端部と共に青色発光部２５の端部が基準面Ａを構成するようにしてもよい。その場合、コード読み取りの際、青色発光部２５の端部が基板に当接するため、青色ＬＥＤ２５ａから出射された光が基板外からコードに照射されるのをより確実に遮断することができる。
【符号の説明】
【００５３】
１  コード読取装置
２１  貫通口
２４  支持板
２５ａ  青色発光ダイオード
２５ｂ  パッケージ
２５ｃ  ＬＥＤチップ
２６  遮光部材
３１  受光素子
１０１  コード読取装置
１２４  支持板
１２４ａ  傾斜面
２２４  支持板
【図１】
2011108071.tif 000003
【図２】
2011108071.tif 000004
【図３】
2011108071.tif 000005
【図４】
2011108071.tif 000006
【図５】
2011108071.tif 000007
【図６】
2011108071.tif 000008
【図７】
2011108071.tif 000009